(57)【要約】【課題】高温化した室内の熱を効率的に室外に放熱させて収納庫に温度上昇を抑制する。【解決手段】各循環用ユニット１１，１２は交互に積層し、カバー３０で覆った後、固定ボルト３１により一体化して熱交換ユニット１０を構成する。熱交換ユニット１０と送風ユニット１３をフレーム４１に組み付けて開閉扉８を構成し、通信機器６からの排熱などによって上昇した内気と外気とが熱交換ユニット１０内で熱交換され、冷やされた空気を収容局舎１内に吹き出されるとともに、加熱した空気を外部に吹き出される。【選択図】      図１
2004324909.tif 000002
【特許請求の範囲】
【請求項１】
パネルをほぼ箱型に連結して箱型ユニットを構成し、この箱型ユニットの内部に各種電気機器を収納するとともに、箱型ユニットに空調用の熱交換ユニットを設けた収納庫用空調装置であって、前記箱型ユニットの一壁面を前記熱交換ユニットで構成したことを特徴とする収納庫用空調装置。
【請求項２】
前記熱交換ユニットは、交互に積層した内気循環用ユニットと外気循環用ユニットと、送風ユニットとを備えたことを特徴とする請求項１記載の収納庫用空調装置。
【請求項３】
前記内気循環用ユニットと外気循環用ユニットが基板プレートと、この基板プレートに通風路を区画するとともに、積層した上下の基板プレートの間隔を保持するスペーサと、前記通風路に設けられ放熱フィンと、積層した前記基板プレートを覆うカバーとで構成されていることを特徴とする請求項２記載の収納庫用空調装置。
【発明の詳細な説明】
【０００１】
【産業上の利用分野】
本発明は、携帯電話などの電波中継用の無線機などを収容する収納庫、特に熱対策として冷却ユニットと送風ユニットを備えた収納庫用空調装置に関する。
【０００２】
【従来の技術】
近年、携帯電話の普及に伴い携帯電話の電波を中継するための無線中継局舎が多数建設されている。このような無線中継局舎は無人化が進み、単に電波中継用の無線機器を設置するだけで中継局としての機能を果たすことから、こうした無人の無線機器収容局舎は、居住空間として快適性や環境設備を考慮する必要はないため、できるだけ建設コストを抑えた極力簡易な構造が望まれている。
【０００３】
そこで、本願出願人は、特許文献１でパネルを箱型に組んだ収納庫を提案している。この箱型ユニットは、外気温の影響を極力抑える目的で箱型ユニットの壁面の全てを断熱材から成る芯材層の両側を金属パネルで挟むように積層一体化した断熱パネルで構成している。
【０００４】
こうして製造した箱型ユニットは内部に無線機器を設置して無線機器収容局舎などとして使用されるものであるが、近年、携帯電話の普及あるいは携帯電話の多機能化などに伴って箱型ユニットに収容する無線機器が高出力化され、無線機器からの発熱量も増加してきている。このため、無線機器からの発熱によって無線機器収容局舎の室温が５０度以上に達し、室外より室内が高くなる。特に夏季においては外気温の上昇と、無線機器の発熱によって室内の温度が上昇し、箱型ユニットの室温が外気温よりはるかに高くなってしまう。このような室温の上昇は、収容する無線機器には好ましい状況ではない。このため、室内の温度上昇を抑制するために、箱型ユニットの内部に換気装置及び冷却用の空調装置などを配置している。
【０００５】
しかし、箱型ユニットの内部に換気装置及冷却用の空調装置などを配置する場合、それだけ、内部の収納空間が狭くなる。このため、特許文献２では、箱型ユニットの天井裏空間に冷却ユニットと送風ユニットを設け、箱型ユニット内の上部の熱を吸熱し、その吸熱量を冷却ユニットの放熱フィンにより放熱して送風ユニットにより吸気口から排気口へ強制対流させて本体内を冷却するように構成した収納庫用の換気装置が知られている。
【０００６】
【特許文献１】
特開平１１−２１０１０６号公報
【特許文献２】
特開平８−１２６１３０号公報
【０００７】
【発明が解決しようとする課題】
特許文献２の収納庫用の換気装置は、冷却ユニットと送風ユニットを天井裏空間に配置することにより、収納庫内の空間に広い収納スペースを確保できるものの、天井裏の狭い空間に冷却ユニットと送風ユニットが配置されているため、例えば、メンテナンスなどの保守点検作業の際、狭い空間に天井裏に立ち入ることができないため、保守点検作業が極めてやりづらい。さらに、冷却ユニットが天井部分に取り付けられているため、冷却ユニットから滴下した結露水が電機機器にかかると、電気的なトラブルを誘発することになる。
【０００８】
そこで、本発明は、換気装置などで収納庫の室内空間を狭めることなく、収納庫の室温を調整することができるとともに、保守点検が容易で、かつ、結露による機器の悪影響もない収納庫用空調装置を提供することを目的とする。
【０００９】
【課題を解決するための手段】
前記課題を解決するために、請求項１の収納庫用空調装置は、パネルをほぼ箱型に連結して箱型ユニットを構成し、この箱型ユニットの内部に各種電気機器を収納するとともに、箱型ユニットに空調用の熱交換ユニットを設けた収納庫用空調装置であって、前記箱型ユニットの一壁面を前記熱交換ユニットで構成したものである。
【００１０】
上記構成により、送風ユニットを駆動することにより、箱型ユニット内の空気及び外気が熱交換ユニットに取り込まれ、熱交換ユニットによって熱交換される。そして、電気機器からの排熱などによって室温が上昇した箱型ユニットの室内が冷却される。また、暖められた空気は熱交換ユニットの通風路内を通って外部に排気される。
【００１１】
請求項２の収納庫用空調装置は、前記請求項１の収納庫用空調装置において、前記熱交換ユニットは、交互に積層した内気循環用ユニットと外気循環用ユニットと、送風ユニットとを備えたものである。
【００１２】
上記構成により、外気と内気が交互に循環し、効率的に熱交換される。
【００１３】
請求項３の収納庫用空調装置は、前記請求項２の収納庫用空調装置において、前記内気循環用ユニットと外気循環用ユニットが基板プレートと、この基板プレートに通風路を区画するとともに、積層した上下の基板プレートの間隔を保持するスペーサと、前記通風路に設けられ放熱フィンと、積層した前記基板プレートを覆うカバーとで構成されているものである。
【００１４】
上記構成により、積層する各循環用ユニットの枚数を適宜変更することで、熱交換能力、ひいては収容局舎の冷却性能を簡単に変更することができる。
【００１５】
【発明の実施形態】
以下、本発明の一実施例を添付図面を参照して説明する。図１〜図６は本発明の一実施例を示し、同図において、１は携帯電話などの電波を中継する収納庫たる無線機器収容局舎（以下、単に収容局舎という）である。この収容局舎１は天井パネル２と、側壁パネル３と、床パネル４とを箱型に連結した箱型ユニット５によって構成されている。この箱型ユニット５の内部には携帯電話の電波を中継するための電気機器として通信機器６が収容されている。前記箱型ユニット５の一側面には出入り口となる開口部７と、この開口部７を開閉する開閉扉８が設けられている。また、箱型ユニット５の裏面側には枠状のフレーム９が固定され、このフレーム９を設置面に打設した基礎コンクリートに埋設したアンカーボルト（図示しない）によって据付固定している。
【００１６】
また、収容局舎１を構成する天井パネル２と、側壁パネル３と、床パネル４は図示しない断熱材の両側をアルミあるいはステンレスなどから成る金属パネルで挟むように積層一体化した断熱パネルによって構成している。
【００１７】
１０は熱交換ユニットであり、この熱交換ユニット１０で前記開閉扉８を構成している。熱交換ユニット１０は、交互に積層した内気循環用ユニット１１と外気循環用ユニット１２と、送風ユニット１３とから成る。
【００１８】
前記各循環用ユニット１１，１２は、それぞれ基板プレート１５，１６を備え、この基板プレート１５，１６に通風路１７，１８を区画するためのスペーサ１９を固定し、その各通風路１７，１８の内部に放熱フィン２１を相互に間隔をおいて並設している。また、基板プレート１５，１６には通風路１７，１８の角部に位置して吸込口２４，２５と排気口２６，２７がほぼ対角線上に位置して設けられている。この通風路１７，１８に形成する吸込口２４，２５と排気口２６，２７は内気循環用ユニット１１と外気循環用ユニット１２とで重ならないように位置をずらして形成され、さらに、内気循環用ユニット１１の通風路１７は、内気循環用ユニット１１の吸込口２４と排気口２６を避けるように仕切られ、同様に外気循環用ユニット１２の通風路１７は、外気循環用ユニット１２の吸込口２５と排気口２７を避けるように仕切られている。
【００１９】
なお、３０は各循環用ユニット１１，１２を覆うカバー、３１は各循環用ユニット１１，１２の固定ボルト、３２は吸込口２５と排気口２７に固定したフード、３３は内気循環用ユニット１１に形成する連通孔、３４は外気循環用ユニット１２に形成する連通孔である。これら連通孔３４，３５は各基板プレート１５，１６に形成する通風路１７，１８の外側に形成されているとともに、内気循環用ユニット１１に形成する連通孔３３は外気循環用ユニット１２の吸込口２５と排気口２７に対応して設けられ、外気循環用ユニット１２に形成する連通孔３４は内気循環用ユニット１１に形成する吸込口２４と排気口２７に対応して形成されている。
【００２０】
以上のように構成される各循環用ユニット１１，１２は交互に積層し、カバー３０で覆った後、スペーサ１９に形成する貫通孔３６に固定ボルト３１を通し、ナット３７によって、熱交換ユニット１０を一体化する。こうして一体化した熱交換ユニット１０と送風ユニット１３をフレーム４１に組み付けて開閉扉８を構成している。なお、本実施例では、上下２つの熱交換ユニット１０を平面的に並べて開閉扉８を構成している。そして、送風ユニット１３を駆動することにより、内気循環用ユニット１１では吸込口２４から収容局舎１内の空気が吸込まれ、排気口２６から再び収容局舎１内に送風される。一方、外気循環用ユニット１２では吸込口２５から吸込まれた外気が通風路１８に取り込まれ、排気口２７から外部に送風される。これにより、外気と内気とが交互に循環し、通信機器６からの排熱などによって上昇した内気と外気とが熱交換ユニット１０内で熱交換され、冷やされた空気を収容局舎１内に吹き出されるとともに、加熱した空気を外部に吹き出されるから、収容局舎１内の温度上昇を抑えることができる。
【００２１】
以上のように、本実施例では、各循環用ユニット１１，１２は交互に積層した熱交換ユニット１０によって開閉扉８を構成しているから、冷却のための不要なスペースを別途確保する必要がなく、省スペース化が可能であるとともに、仮に結露が発生しても、その結露水が通信機器６に直接的に落ちることがないため、結露水により通信機器６の電気的な悪影響もない。さらに、開閉扉８の外面的に冷却ユニット１０と送風ユニット２０が露出しないため、外観的にも体裁がよく、また、開閉扉８の内面に取り付けた冷却ユニット１０と送風ユニット２０にあっては、メンテナンスなどの保守点検も容易である。また、各循環用ユニット１１，１２を交互に積層して熱交換ユニット１０を構成しているため、積層する各循環用ユニット１１，１２の枚数を適宜変更あるいは各循環用ユニット１１，１２によって構成される熱交換ユニット１０の数を変えることで、熱交換能力、ひいては収容局舎１の冷却性能を簡単に変更することができる。
【００２２】
以上、本発明の実施例について詳述したが、本発明は前記実施例に限定されるものではなく、本発明の要旨の範囲内で種々の変形実施が可能である。例えば、無線機器収容局舎の基本的構造などは適宜設定すればよい。また、断熱パネルや外壁材の材質などもアルミやステンレスに限らず熱伝導性に優れた材質であればよい。また、前記実施例では熱交換ユニット１０によって開閉扉８を構成した例を示したが、天井パネル２と、側壁パネル３と、床パネル４などの壁面を構成することも可能である。
【００２３】
また、前記実施例では、各循環ユニット１１，１２に形成する吸気口２４，２５と排気口２６，２７とを対角線上に形成した例を示したが図７及び図８に示すように、吸気口２４Ａ，２５Ａを一側縁両側に形成し、他縁中央部に排気口２６Ａ，２７Ａを形成するように構成してもよい。このような配置とすれば、吸気側から排気側へと空気がスムーズに流れるとともに、各基板プレート１５，１６の通風路１７，１８に流入した空気が放熱フィン２１に効果的に接触し、熱交換効率にも優れる。
【００２４】
また、前記実施例では箱型ユニット５を構成する天井パネル２と、側壁パネル３と、床パネル４として断熱材を介在させた例を示したが、図９に示すように、伝熱性に優れたアルミなどからなる一対の金属パネル３５，３６の間に凹凸状に折り曲げた補強材３７により連結して天井パネル２と、側壁パネル３と、床パネル４を形成するようにしてもよい。この場合、収容局舎１内の熱が内側金属パネル３５から補強材３６、外側金属パネル３７に伝わり、外側金属パネル３７から外部に効率的に放熱することができる。
【００２５】
【発明の効果】
請求項１の収納庫用空調装置によれば、パネルをほぼ箱型に連結して箱型ユニットを構成し、この箱型ユニットの内部に各種電気機器を収納するとともに、箱型ユニットに空調用の熱交換ユニットを設けた収納庫用空調装置であって、前記箱型ユニットの一壁面を前記熱交換ユニットで構成したものであるから、冷却のための不要なスペースを別途確保する必要がなく、省スペース化が可能であるとともに、メンテナンスなどの保守点検も容易である。
【００２６】
請求項２の収納庫用空調装置によれば、前記請求項１の収納庫用空調装置において、前記熱交換ユニットは、交互に積層した内気循環用ユニットと外気循環用ユニットと、送風ユニットとを備えたものであるから、通信機器からの排熱などによって上昇した内気と外気とが熱交換ユニット内で熱交換され、冷やされた空気を収容局舎内に吹き出されるとともに、加熱した空気を外部に吹き出されて収容局舎内の温度上昇を抑えることができる。
【００２７】
請求項３の収納庫用空調装置によれば、前記請求項２の収納庫用空調装置において、前記内気循環用ユニットと外気循環用ユニットが基板プレートと、この基板プレートに通風路を区画するとともに、積層した上下の基板プレートの間隔を保持するスペーサと、前記通風路に設けられ放熱フィンと、積層した前記基板プレートを覆うカバーとで構成されているものであるから、積層する各循環用ユニットの枚数を適宜変更することで、熱交換能力、ひいては収容局舎の冷却性能を簡単に変更することができる。
【図面の簡単な説明】
【図１】本発明の一実施例を示す無線機器収容局舎の概略説明図である。
【図２】同上、開閉扉の正面図である。
【図３】同上、開閉扉の側面図である。
【図４】同上、外気循環用ユニットの平面図である。
【図５】同上、内気循環用ユニットの平面図である。
【図６】熱交換ユニットの断面図である。
【図７】本発明の外気循環用ユニットの変形例を示す平面図である。
【図８】本発明の内気循環用ユニットの変形例を示す平面図である。
【図９】本発明のパネルの変形例を示す断面図である。
【符号の説明】
１  無線機器収容局舎（収納庫）
５  箱型ユニット
６  通信機器（電気機器）
８  開閉扉
１０  熱交換ユニット
１１  内気循環用ユニット
１２  外気循環用ユニット
１３  送風ユニット
１５，１６  基板プレート
１７，１８  通風路
１９  スペーサ
２１  放熱フィン
２４，２５，２４Ａ，２５Ａ，    吸込口
２６，２７，２６Ａ，２７Ａ  排気口
３０  カバー
【図１】
2004324909.tif 000003
【図２】
2004324909.tif 000004
【図３】
2004324909.tif 000005
【図４】
2004324909.tif 000006
【図５】
2004324909.tif 000007
【図６】
2004324909.tif 000008
【図７】
2004324909.tif 000009
【図８】
2004324909.tif 000010
【図９】
2004324909.tif 000011